(57)【要約】本発明は、親油性流体から汚染物質を除去するための方法、このような方法に用いられる吸着性物質、及びこのような方法によって製造される親油性流体に関する。【特許請求の範囲】
【請求項１】
親油性流体から汚染物質を除去するためのフィルターであって、極性剤及び無極性剤を含む吸着性物質を含み、該吸着性物質の表面積が約１０ｍ２／ｇ〜約１０００ｍ２／ｇであるフィルター。
【請求項２】
前記極性剤が次の式：
Ｙａ−ＯｂＸ
を有し、式中Ｙは、Ｓｉ、Ａｌ、Ｔｉ、Ｐであり；ａは約１〜約５であり；ｂは約１〜約１０であり；Ｘは金属であり；好ましくは吸着剤がシリカ、珪藻土、アルミノケイ酸塩、ポリアミド樹脂、アルミナ、ヒドロゲル、ゼオライト、及びこれらの混合物から成る群から選択される極性剤であり；より好ましくは極性剤がシリカゲルを含む、請求項１に記載のフィルター。
【請求項３】
前記無極性剤が、活性炭、ポリスチレン、ポリエチレン、ポリジビニルベンゼン、及びこれらの混合物の一つ以上を含む、請求項１に記載のフィルター。
【請求項４】
前記吸着性物質がさらに荷電剤を含み、好ましくはその際吸着剤は次の式：
［Ｗ−Ｚ］Ｔ
を有する荷電剤であり、式中Ｗは、Ｓｉ、Ａｌ、Ｔｉ、Ｐ又はポリマー主鎖であり；Ｚは荷電した置換基であり、Ｔはアルカリ、アルカリ土類金属及びこれらの混合物から選択される対イオンであり；より好ましくはその際ポリマー主鎖はポリスチレン、ポリエチレン、ポリジビニルベンゼン、ポリアクリル酸、ポリアクリルアミド、多糖類、ポリビニルアルコール、これらのコポリマー及びこれらの混合物を含み、並びに／又はその際該荷電した置換基はスルホネート、ホスフェート、四級アンモニウム塩及びこれらの混合物を含み、並びに／又はその際該荷電した置換基はアルコール；ジオール；カルボキシレート、一級アミン、二級アミンの塩及びこれらの混合物を含み、並びに／又はその際Ｗは、Ｗの約１重量％〜約１５重量％の荷電剤を含む、請求項１に記載のフィルター。
【請求項５】
前記荷電剤がある環境条件に暴露された際に除去した汚染物質を放出できるような再生能力があり;好ましくはその際前記荷電剤が約２〜約８のｐＫａ又はｐＫｂを示し、及び／又はその際荷電剤が、酸、塩基及び塩の一つ以上に暴露された際に汚染物質を放出し、及び／又は該荷電剤が多サイクル汚染除去に再使用できる、請求項４に記載のフィルター。
【請求項６】
吸着性物質が二つ以上の剤を単一の物理的形態の混合剤の形態で含み、及び／又は該吸着性物質が二つ以上の剤を層状剤の形態で含み、及び／又は該吸着性物質が二つ以上の剤を各々分離した別個の剤の形態で含み、及び／又は該吸着性物質が離散粒子の形態であり、及び／又は該吸着性物質が繊維性構造の形態であり、好ましくはその際前記繊維性構造が不織布繊維性構造であり、及び／又はその際前記吸着性物質が二つ以上の剤を繊維性構造に埋め込まれた離散粒子の形態で含み、好ましくはその際前記繊維性構造が不織布繊維性構造である、請求項１に記載のフィルター。
【請求項７】
吸着性物質が無極性剤と混合された極性剤を含み；好ましくは吸着性物質が前記極性剤を繊維性構造の形態の前記無極性剤に埋め込まれた離散粒子の形態で含み；好ましくはその際繊維性構造は不織布繊維性構造であり、及び／又は極性剤及び無極性剤は吸着剤中に約１：１０〜１０：１、好ましくは約１：２〜約３：１の比で存在する、請求項１に記載のフィルター。
【請求項８】
吸着性物質の平均粒径が約０．１μｍ〜約５００μｍである、請求項１に記載のフィルター。
【請求項９】
前記フィルターが、吸着剤がその中に収容されるハウジングを含み；好ましくはその際前記ハウジングが、流体が吸着性物質と接触するようにハウジングに流体が入る入り口を具備する、請求項１に記載のフィルター。
【請求項１０】
流体から汚染物質を除去するための方法であって、汚染物質が吸着性物質によって流体から除去されるように請求項１〜９のいずれか一項に記載のフィルターを流体と接触させる工程を含む、方法。
【請求項１１】
請求項１０に記載された方法で濾過された流体。
【発明の詳細な説明】
【技術分野】
【０００１】
本発明は、親油性流体から汚染物質を除去するための方法、このような方法に用いられる吸着性物質、及びこのような方法によって製造される親油性流体に関する。
【背景技術】
【０００２】
ドライクリーニング溶媒のような親油性流体は汚染物質を含む場合があり、特に布地物品がドライクリーニング方法で処理された後に汚染物質を含むことが多い。
【０００３】
布地物品処理後の親油性流体中に汚染物質が存在することは、種々の理由から望ましくなく、特に親油性流体の再使用が望ましい場合にそれが言える。一つの理由は、親油性流体処理の間に布地物品から除去された汚れ及び／又はその他の汚染物質は、汚染物質と混合及び／又は会合し、そのため、親油性流体が汚染物質を除去する前に再利用されれば、汚れ及び／又はその他の汚染物質の該布地物品又は新規布地物品上への再付着が発生する可能性があることである。
【発明の開示】
【発明が解決しようとする課題】
【０００４】
それ故に、親油性流体から汚染物質を除去及び／又は削減するための方法が必要である。
【課題を解決するための手段】
【０００５】
本発明は、親油性流体から汚染物質を除去するための方法、このような方法に用いられる吸着性物質、及びこのような方法によって製造される親油性流体を提供することによって上述の必要性を満たす。
【０００６】
親油性流体を使用する布地処理方法の間、親油性流体は、通典型的には界面活性剤、染料、リップスティックのような汚れ、及びトリグリセリドのような脂質、脂肪酸、スクアレン、水及び／又はその他の「非親油性流体物質」を含有することとなる。汚染物質がいかにして最終的に親油性流体に含有されるかは本発明の焦点ではなく、本発明はそれよりも親油性流体が純粋又は実質的に純粋になるように、親油性流体から汚染物質を除去及び／又は削減することに焦点を合わせる。換言すれば、純粋な及び／又は実質的に純粋な親油性流体は、好ましくは布地処理方法の後に続く工程及び／又は新規の布地処理方法において純粋及び／又は実質的に純粋な親油性流体の性能を損なわない濃度の汚染物質を含む。好ましくは、純粋又は実質的に純粋な親油性流体に存在する汚染物質の濃度は、該親油性流体の約０重量％〜約１重量％、より好ましくは約０．００００１重量％〜約０．１重量％、より一層好ましくは約０．０００１重量％〜約０．０１重量％である。
【０００７】
本発明の１つの態様において、汚染物質が吸着性物質によって汚染物質含有親油性流体から除去されるように、荷電剤を含む吸着性物質を汚染物質含有親油性流体に接触する工程を含む、汚染物質含有親油性流体から汚染物質を除去する方法が提供される。
【０００８】
本発明の別の態様においては、汚染物質含有親油性流体から汚染物質を除去するための方法であって、
ａ．荷電剤を含む吸着性物質を汚染物質含有親油性流体と接触させ、第一溶離液を生成する工程、及び
ｂ．任意選択的に、極性剤及び／又は無極性剤を含む吸着性物質を第一溶離液に接触させ、第二溶離液を生成する工程、及び
ｃ．任意選択的に、工程ａ及び／又は工程ｂを少なくとも１回繰り返す工程、及び
ｄ．任意選択的に、第二溶離液を回収する工程を含む前記方法が提供される。
【０００９】
本発明のさらに別の態様においては、汚染物質含有親油性流体から汚染物質を除去するための方法であって、
ａ．荷電剤を含む吸着性物質を汚染物質含有親油性流体と接触させ、第一溶離液を生成する工程、及び
ｂ．極性剤及び／又は無極性剤を含む吸着性物質を第一溶離液に接触させ、第二溶離液を生成する工程、及び
ｃ．第二溶離液を回収する工程、
ｄ．布地を第二溶離液に接触させる工程、
ｅ．荷電剤を含む吸着性物質を、荷電剤上に存在する残留親油性流体が放出されるような環境条件に接触させる工程、
ｆ．荷電剤を含む吸着性物質を、荷電剤上に存在する汚染物質が放出されるように溶媒に接触させる工程、及び
ｇ．荷電剤を含む吸着性物質を
荷電剤上に存在する残留溶媒が放出されるような環境条件に接触させる工程、及び
ｈ．任意選択的に、工程ａ〜ｇのいずれかを少なくとも１回繰り返す工程を含む方法が提供される。
【００１０】
本発明のさらに別の態様では、荷電剤を含む吸着性物質を、該吸着性物質が親油性流体から汚染物質を除去するように汚染物質含有親油性流体に繰り返し接触させる、連続濾過サイクルが提供される。
【００１１】
本発明のさらにまた別の態様においては、親油性流体から汚染物質を除去するための方法であって、
ａ．次の式を有する荷電剤を接触する工程
［Ｗ−Ｚ］Ｔ
式中ＷはＳｉであり、Ｚはカルボキシレート、一級アミン及びこれらの混合物から選択される荷電置換基であり、Ｔはアルカリ、アルカリ土類金属、及びこれらの混合物から選択される対イオンである；並びに
ｂ．任意選択的に、シート状の活性炭に埋め込まれたシリカゲルを、汚染物質が親油性流体から除去されるように接触する工程を含む方法が提供される。
【００１２】
本発明のさらに別の態様においては、本発明による方法で製造された汚染物質含有吸着性物質が提供される。
【００１３】
本発明のさらに別の態様においては、本発明による方法で製造された親油性流体が提供される。
【発明を実施するための最良の形態】
【００１４】
（定義）
本明細書で使用される用語「布地物品」とは、従来の洗濯方法又はドライクリーニング方法で慣例的に洗浄されるあらゆる物品を意味するものとする。このような用語は、衣服、亜麻布、服地、及び衣服付属品のような物品を含む。この用語はまた、手さげバッグ、家具カバー、防水布など、全体的に又は部分的に布で作られた他の品目も包含する。
【００１５】
本明細書で使用される用語「親油性流体」とは、以下でより詳細に記載されるように、皮脂を除去することが可能ないかなる非水性流体も意味することを意図する。
【００１６】
本明細書で使用される用語「洗浄性組成物」及び／又は「処理組成物」とは、洗浄される布地物品と直接接触する、あらゆる親油性流体含有組成物を意味するものとする。前記用語は、コンディショニング及びサイジングなどの洗浄以外の用途を包含すると理解されるべきである。更に、上述の汚染物質以外の追加の汚染物質、及び漂白剤などの任意選択的な洗浄補助剤が、「洗浄組成物」に添加されてもよい。即ち、洗浄補助剤が、親油性流体と任意選択的に組み合わされてもよい。これらの任意の洗浄性補助剤を、以下に更に詳細に説明する。このような洗浄補助剤は、洗浄性組成物の約０．０１重量％〜約１０重量％の濃度で本発明の洗浄性組成物中に存在してもよい。
【００１７】
用語「汚れ」とは、除去されることが望まれる布地物品上の望ましくないあらゆる物質を意味する。用語「水をベースにした」又は「親水性」汚れとは、汚れが最初に布地物品と接触した時点で、汚れが水を含んでいたか、又は汚れが布地物品上で相当な分量の水を保持しているかを意味する。水をベースにした汚れの例には、限定的ではないが、飲み物、多くの食物汚れ、水溶性染料、汗、尿、又は血液などの体液、草のしみ、及び泥などの戸外の汚れが挙げられる。
【００１８】
用語「親油性流体中で水を懸濁することができる」は、ある物質を、成分の最初の混合後少なくとも５分間静置させた時に、水が目に見えて懸濁、溶媒和又は乳化した状態を保つ形で、親油性流体と不混和性である水を懸濁、溶媒和又は乳化することができることを意味する。本発明の組成物の幾つかの実施例では、組成物は、コロイドの性質であっても、及び／又は乳濁性に見えてもよい。本発明の組成物の他の実施例では、組成物は透明であってもよい。
【００１９】
用語「親油性流体に不溶性」とは、親油性流体に添加された時に、物質が、添加後５分以内に親油性流体から物理的に分離（即ち、沈殿、凝縮、浮揚）し、それに対して「親油性流体に可溶性」である物質は、添加後５分以内に親油性流体から物理的に分離しないことを意味する。
【００２０】
用語「消費可能な洗剤組成物」とは、親油性流体と組み合わせると、その結果、本発明の洗浄性組成物が得られる、あらゆる組成物を意味する。
【００２１】
用語「加工助剤」とは、消費可能な洗剤組成物を親油性流体との配合性、安定性、及び／又は希釈性に関して更に好適にし、本発明の洗浄性組成物を形成するあらゆる物質のことをいう。
【００２２】
本明細書で使用する時、「混合」という用語は、二つ以上の物質（即ち、流体、より具体的には親油性流体及び消費可能な洗剤組成物）を均一な混合物が形成されるように組み合わせることを意味する。好適な混合方法は、当該技術において既知である。好適な混合方法の非限定的な例には、攪拌混合方法、及び静的混合方法が挙げられる。
【００２３】
（親油性流体）
本明細書の親油性流体は、布地物品処理機器の運転条件下で、換言すれば、本発明にしたがって布地物品の処理中に、液相を有するものである。一般的に、このような親油性流体は周囲温度及び圧力において完全に液体であることができ、あるいは容易に融解する固体、例えば約０℃〜約６０℃の範囲の温度で流体になるものであることができ、又は例えば２５℃及び１気圧の周囲温度及び圧力において液相及び蒸気相の混合物を含むことができる。従って、親油性流体は、二酸化炭素のような圧縮性気体ではない。
【００２４】
本明細書の親油性流体は、既知の従来のドライクリーニング流体の性質と等しい、又は好ましくはそれを上回る不燃性を有するか、若しくは比較的高い引火点及び／又は低ＶＯＣ（揮発性有機化合物）性を有することが好ましく、これらの用語はドライクリーニング産業で使用されるような従来の意味を有する。
【００２５】
更に、本明細書の好適な親油性流体は、流動しやすく、粘性ではない。
【００２６】
一般に、本明細書の親油性流体は、本明細書で後述する試験の中で定義されるように、皮脂又は身体の汚れを少なくとも部分的に溶解できる流体であることが必要である。親油性流体の混合物もまた適しており、下記の親油性流体試験の要件が満たされることを条件として、親油性流体は、任意の分率のドライクリーニング溶媒、特にフッ素化溶媒、又は過フッ素化アミンを含む、より新しい種類のものを含むことができる。パーフルオロトリブチルアミンのような幾つかの過フッ化アミン類は、親油性流体として使用するには適さないが、親油性流体含有組成物中に存在可能な多くの潜在的な補助剤の一つとして存在してよい。
【００２７】
他の適した親油性流体には、ジオール溶媒系、例えば、Ｃ６−又はＣ８−などの高級ジオール、又は更に高級のジオール類、環状及び非環状型の両方を含む有機シリコーン溶媒類など、及びこれらの混合物が挙げられるが、これらに限定されない。
【００２８】
本発明の組成物の主構成成分として組み込むのに適した非水性親油性流体の好ましい群には、低揮発性非フッ素化有機物、シリコーン、特にアミノ官能性シリコーン以外のもの、及びこれらの混合物が挙げられる。低揮発性非フッ素化有機物には、例えばオレアン（OLEAN）（登録商標）及びその他のポリオールエステル類、又は特定の比較的非揮発性の生分解性中鎖分枝状石油留分が挙げられる。
【００２９】
本発明の組成物の主構成成分として組み込むのに適した非水性親油性流体の別の好ましい群には、グリコールエーテル、例えば、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられるが、これらに限定されない。組成物の主構成成分として、例えば、５０％を超過して用いられる好適なシリコーンには、「Ｄ５」と呼ばれることもあるシクロペンタシロキサン、及び／又はほぼ同様の揮発性を有し、任意選択的に他の適合性のあるシリコーンにより補完される直鎖類似体が挙げられる。好適なシリコーン類は、文献で周知であり、例えば、カーク・オスマーの工業化学百科事典を参照されたい。また、ゼネラル・エレクトリック社（General Electric）、東芝シリコーン（株）、バイエル社社（Bayer）、及びダウ・コーニング（Dow Corning）を含む多数の業者から入手可能である。他の好適な親油性流体は、プロクター・アンド・ギャンブル社（Procter & Gamble）、又はダウ・ケミカル社（Dow Chemical）、及び他の業者から入手可能である。
【００３０】
（親油性流体の適合性及び親油性流体試験（ＬＦ試験））
ドライクリーニング流体に対する既知の要件（例えば、引火点など）を満たすことができると共に、下記の試験法に示されるように少なくとも部分的に皮脂を溶解することができるいかなる非水性流体も、本明細書の親油性流体として適している。一般指針としてパーフルオロブチルアミン（フロリナート（Fluorinert）ＦＣ−４３（登録商標））はそれ自体（補助剤と共に、又は補助剤無しで）が標準物質であり、定義上は本明細書で使用される親油性流体として適していない（本質的に非溶媒である）が、一方でシクロペンタシロキサンは好適な皮脂溶解特性を有し、皮脂を溶解させる。
【００３１】
以下は親油性流体として使用する他の物質、例えば、他の低粘度、自由流動性シリコーンの調査及び適格性認定方法である。この方法は、皮脂に関する汚れの例として、市販品で入手可能なクリスコ（Crisco）（登録商標）カノーラ油、オレイン酸（純度９５％、シグマ・アルドリッチ社（Sigma Aldrich Co.）から入手可能）、及びスクアレン（純度９９％、Ｊ．Ｔ．ベーカー（J. T. Baker）から入手可能）を使用する。試験物質は、実質的に無水であり、いかなる添加された補助剤も評価中の他の材料も含んでいてはならない。
【００３２】
３本のバイアル瓶を用意し、各バイアル瓶に１種類の親油性汚れを入れる。第一のバイアル瓶にカノーラ油１．０ｇを入れ、第二のバイアル瓶にオレイン酸（９５％）１．０ｇを入れ、最後の第三のバイアル瓶にスクアレン（９９．９％）１．０ｇを入れる。各バイアル瓶に、親油性を試験する流体を１ｇ入れる。室温及び常圧で標準的な攪拌混合機において、最大設定で２０秒間、試験される親油性汚れ及び流体を含有する各バイアル瓶を個別に混合する。バイアル瓶を作業台に載置し、室温及び常圧で１５分間安定させる。静止した時に、親油性汚れの入ったいずれかのバイアル瓶に透明な単一相が形成された場合は、その非水性流体は、本発明による「親油性流体」として使用するのに適していると見なされる。しかし、３本のバイアル瓶全部に２つ以上の分離相が形成されている場合には、油相中に溶解される非水性流体の量を、非水性流体が適切なものかどうか判断する前に、更に測定する必要がある。
【００３３】
このような場合は、注射器により、各バイアル瓶の各層から２００μｌのサンプルを注して抜き取る。各３つのモデル、汚れ及び試験される流体の較正サンプルの保持時間を決定した後、注射器で抜き取った層のサンプルをＧＣオートサンプラーバイアル瓶に入れ、従来のＧＣ分析にかける。オレイン酸層、カノーラ油層、又はスクアラン層からなる層のいずれか一つに、試験流体が１％を超えて、好ましくはより多く、存在することがＧＣで判明した場合には、その試験流体も親油性流体として使用するのに適切であると見なされる。必要であれば、この方法はヘプタコサフルオロトリブチルアミン、つまりフルオリナート（Fluorinert）ＦＣ−４３（不合格）及びシクロペンタシロキサン（合格）を使用して更に較正することができる。好適なＧＣは、スプリット／スプリットレス注入器及びＦＩＤを装備したヒューレットパッカード（Hewlett Packard）のガスクロマトグラフＨＰ５８９０シリーズＩＩである。親油性流体存在量を決定するのに使用する好適なカラムは、Ｊ＆Ｗサイエンティフィック社（J&W Scientific）の、３０メートル、内径０．２５ｍｍ、厚さ０．１ｕｍのフィルム、カタログ番号１２２１１３１のキャピラリーカラムＤＢ−１ＨＴである。ＧＣを次の条件下で適切に操作する：
【表１】
2005502459.tif 000002
【００３４】
本明細書で使用するのに適した好ましい親油性流体を、優れた衣類ケア特性を有するという点から、使用のために更に格付けすることができる。衣類ケア特性試験は当該技術分野において既知であり、継ぎ目などや、各種ボタンに使用される布地、糸、及びゴムひもを含む様々な衣類又は布地物品構成要素を使用して、特定される流体を試験することを包含する。本明細書に用いるのに好ましい親油性流体は、優れた衣類ケア特性を有し、例えば、良好な収縮及び／又は布地ひだ寄せ特性を有し、またプラスチックボタンに目立った損傷を与えない。例えばエチルラクテートのような、皮脂の除去において親油性流体として使用するのが適切である特定の物質は、ボタンを溶解する傾向があるために極めて好ましくなく、そのような物質が本発明の組成物中に使用される場合、混合物全体が実質的にボタンに損傷を与えないように、水及び／又は他の物質と配合される。他の親油性流体、例えば、Ｄ５は、衣類ケアの要件を十分に満たす。幾つかの好適な親油性流体は、付与された米国特許第５，８６５，８５２号；５，９４２，００７号；第６，０４２，６１７号；第６，０４２，６１８号；第６，０５６，７８９号；第６，０５９，８４５号；及び第６，０６３，１３５号の中に見出されるが、これらは本明細書に参考として組み入れられる。
【００３５】
親油性流体には、直鎖及び環状ポリシロキサン、炭化水素、及び塩素化炭化水素を挙げることができるが、本明細書で使用される親油性流体の定義によって明確に包含されないＰＥＲＣ及びＤＦ２０００は例外とする。より好ましいのは、線状及び環状ポリシロキサン、及びグリコールエーテル、酢酸エステル、乳酸エステル類の炭化水素である。好ましい親油性流体には、７６０ｍｍＨｇにおいて 約２５０℃未満の沸点を有する環状シロキサンが挙げられる。本発明で使用する特に好ましい環状シロキサンは、オクタメチルシクロテトラシロキサン、デカメチルシクロペンタシロキサン、及びドデカメチルシクロヘキサシロキサンである。好ましくは、環状シロキサンは、デカメチルシクロペンタシロキサン（Ｄ５、ペンタマー）を含み、実質的にオクタメチルシクロテトラシロキサン（テトラマー）及びドデカメチルシクロヘキサシロキサン（ヘキサマー）を含まない。
【００３６】
しかしながら、有用な環状シロキサンの混合物は、好ましい環状シロキサンに加えて微量の他の環状シロキサンも含有する可能性があることを理解する必要があり、こうした他の環状シロキサンには、オクタメチルシクロテトラシロキサン、ヘキサメチルシクロトリシロキサン、又はテトラデカメチルシクロヘプタシロキサンのようなより高級な環状物が挙げられる。一般的に、環状シロキサン混合物に有用なこれらの他の環状シロキサン量は、混合物の全体の約１０重量％未満である。環状シロキサン混合物の工業規格では、このような混合物は混合物の約１重量％未満のオクタメチルシクロテトラシロキサンを含む。
【００３７】
従って、本発明の親油性流体は、親油性流体の好ましくは約５０重量％を超える、より好ましくは約７５重量％を超える、更により好ましくは少なくとも約９０重量％、最も好ましくは少なくとも約９５重量％のデカメチルシクロペンタシロキサンを含む。あるいは、親油性流体は、混合物の約５０重量％を超える、好ましくは約７５重量％を超える、より好ましくは少なくとも約９０重量％、最も好ましくは少なくとも９５重量％〜約１００重量％のデカメチルシクロペンタシロキサン、及び混合物の約１０重量％未満、好ましくは約５重量％未満、より好ましくは約２重量％未満、更により好ましくは約１重量％未満、最も好ましくは約０．５重量％未満か〜約０重量％のオクタメチルシクロテトラシロキサン及び／又はドデカメチルシクロヘキサシロキサンを有する環状シロキサンの混合物であるシロキサンを含む。
【００３８】
親油性流体の濃度は、本発明の布地物品処理組成物中に存在する場合、好ましくは布地物品処理組成物の約７０重量％〜約９９．９９重量％、さらに好ましくは約９０重量％〜約９９．９重量％、さらにより好ましくは約９５重量％〜約９９．８重量％である。
【００３９】
親油性流体の濃度は、本発明の消費可能な洗剤組成物中に存在する場合、好ましくは消費可能な洗剤組成物の約０．１重量％〜約９０重量％、より好ましくは約０．５重量％〜約７５重量％、更により好ましくは約１重量％〜約５０重量％である。
【００４０】
（親油性流体補助剤）
親油性流体を使用する布地処理方法の際、親油性流体は典型的に、汚染物質構成成分及び／又は汚染物質、水及び／又はその他の「非親油性流体物質」を含有することとなる。
【００４１】
（ａ．汚染物質構成成分）
汚染物質構成成分及び／又は従来の汚染物質は、両物質を利用する布地処理方法の結果親油性流体と混合されてもよいし、又は親油性流体を布地処理方法に使用する前に親油性流体に添加されてもよい。汚染物質構成成分及び／又は従来の汚染物質がいかにして親油性流体中に存在するようになるかは本発明にとって特に重要でない。本発明は、汚染物質構成成分及び／又は従来の汚染物質の親油性流体からの除去という問題に対処する。
【００４２】
本発明の汚染物質含有親油性流体中に存在する可能性のある汚染物質構成成分（即ち、汚染物質に似た特性を有する物質）及び従来の汚染物質としては、界面活性剤、染料、脂質、汚れ、水、及びその他の非親油性流体が挙げられるがこれらに限定されない。
【００４３】
広範囲の従来の汚染物質を、処理剤として本発明の処理組成物に使用することができる。
【００４４】
これらのその他の汚染物質の非限定例には、従来の陰イオン性、非イオン性、陽イオン性及び双性イオン性汚染物質が挙げられる。
【００４５】
本発明によって提供される処理組成物に含まれる汚染物質は、使用される特定の汚染物質及び達成されるべき所望効果に依存して、組成物の少なくとも０．０１重量％、好ましくは少なくとも約０．１重量％、より好ましくは少なくとも約０．５重量％、更により好ましくは少なくとも約１重量％、最も好ましくは少なくとも約３重量％から約８０重量％まで、より好ましくは約６０重量％まで、最も好ましくは約５０重量％まで含まれる。
【００４６】
汚染物質は、非イオン性、陰イオン性、両性、両染性、双性イオン性、陽イオン性、半極性非イオン性、及びこれらの混合物であることができ、その非限定例が米国特許第５，７０７，９５０号及び第５，５７６，２８２号に開示されている。陰イオン系、非イオン性、両性及び双性イオン性の分類、及びこれらの汚染物質の種は、米国特許特第３，６６４，９６１号（ノリス（Norris）、１９７２年５月２３日発行）に挙げられている。好ましい組成物は非イオン性汚染物質及び／又は非イオン性汚染物質と他の汚染物質、とりわけ陰イオン系汚染物質との混合物を含む。
【００４７】
本明細書で有用な汚染物質の非限定例には、いわゆる狭ピークのアルキルエトキシレート類及びＣ６〜Ｃ１２アルキルフェノールアルコキシレート類（とりわけ、エトキシレート類及びエトキシ／プロポキシの混合物）を含む従来の、約１〜２２のＥＯを有するＣ８〜Ｃ１８アルキルエトキシレート類（「ＡＥ」）、アルキルジアルキルアミンオキシド、アルカノイルグルコースアミド、Ｃ１１〜Ｃ１８アルキルベンゼンスルホネート類、並びに一級、二級及びランダムアルキルサルフェート類、Ｃ１０〜Ｃ１８アルキルアルコキシサルフェート類、Ｃ１０〜Ｃ１８アルキルポリグリコシド類、及びそれらの対応する硫酸化ポリグリコシド類、Ｃ１２〜Ｃ１８α−スルホン化脂肪酸エステル類、Ｃ１２〜Ｃ１８アルキル及びアルキルフェノールアルコキシレート類（とりわけ、エトキシレート類及びエトキシ／プロポキシの混合物）、Ｃ１２〜Ｃ１８ベタイン類、スケアコタイン（Schercotaine）類及びスルホベタイン類（「スルタイン類」）、Ｃ１０〜Ｃ１８アミンオキシド類、及び類似のものが挙げられる。他の従来の有用な汚染物質は、標準テキストに列記されている。
【００４８】
汚染物質構成成分及び／又は汚染物質は、以下の非限定例を含み得る。
【００４９】
ａ）陰イオン性汚染物質（例えば、アルキル又はアリールサルフェート、エアゾール誘導体等）
ｂ）陽イオン性又は塩基性汚染物質（例えば、四級汚染物質、一級及び二級アミン等）
ｃ）非イオン性汚染物質（例えば、ブリジ（Brij）汚染物質、ネオドール（Neodol）汚染物質等）
本発明の汚染物質構成成分は、親油性流体中に水を懸濁させることができ、親油性流体の汚れ除去効果を増強することができる物質である。前記物質は、その性能の条件として、親油性流体に可溶性である。
【００５０】
１つの分類の物質には、シロキサンをベースにした界面活性剤（シロキサンをベースにした物質）を含むことができる。この用途のシロキサンをベースにした界面活性剤は、他の用途向けのシロキサンポリマーであってよい。シロキサンをベースにした界面活性剤の重量平均分子量は、典型的には、５００〜２０，０００である。ポリ（ジメチルシロキサン）に由来するこのような物質は、当該技術分野において周知である。本発明では、このようなシロキサンをベースにした界面活性剤全てが好適であるとは限らないが、それは、これらが親油性流体自体によって提供される洗浄のレベルと比較して、改善された汚れの洗浄を提供しないためである。
【００５１】
好適なシロキサン系界面活性剤は、次式を有するポリエーテルシロキサンを含む：
ＭａＤｂＤ’ｃＤ”ｄＭ’２〜ａ
式中、ａは０〜２であり；ｂは０〜１０００であり；ｃは０〜５０であり；ｄは０〜５０であり、但しａ＋ｃ＋ｄは少なくとも１である；
ＭはＲ１３〜ｅＸｅＳｉＯ１／２であり、式中、Ｒ１は独立して、Ｈ、又は一価の炭化水素基であり、Ｘはヒドロキシル基であり、ｅは０又は１である；
Ｍ’はＲ２３ＳｉＯ１／２であり、式中、Ｒ２は独立して、Ｈ、一価の炭化水素基、又は（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、但し少なくとも１つのＲ２が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立して、Ｈ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８である；
ＤはＲ４２ＳｉＯ２／２であり、式中、Ｒ４は独立して、Ｈ又は一価の炭化水素基であり；
Ｄ’はＲ５２ＳｉＯ２／２であり、式中、Ｒ５は、独立にＲ２であり、但し、少なくとも１つのＲ５は、（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は、独立に、Ｈ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；
Ｄ”は、Ｒ６２ＳｉＯ２／２であり、式中、Ｒ６は、独立に、Ｈ、一価の炭化水素基、又は（ＣＨ２）ｌ（Ｃ６Ｈ４）ｍ（Ａ）ｎ−［（Ｌ）ｏ−（Ａ’）ｐ−］ｑ−（Ｌ’）ｒＺ（Ｇ）ｓであり、式中、ｌは１〜１０であり、ｍは０又は１であり、ｎは０〜５であり、ｏは０〜３であり、ｐは０又は１であり、ｑは０〜１０であり、ｒは０〜３であり、ｓは０〜３であり、置換されていないか又はＣ６Ｈ４は、Ｃ１〜１０アルキル又はアルケニルで置換されており、Ａ及びＡ’は、それぞれ独立に連結部分であって、エステル、ケト、エーテル、チオ、アミド、アミノ、Ｃ１〜４フルオロアルキル、Ｃ１〜４フルオロアルケニル、分枝若しくは直鎖ポリアルキレンオキシド、ホスフェート、スルホニル、サルフェート、アンモニウム、及びこれらの混合物を表し、Ｌ及びＬ’は、それぞれ独立に、非置換又は置換の、Ｃ１〜３０直鎖若しくは分枝アルキル又はアルケニル又はアリールであり、Ｚは、水素、カルボン酸、ヒドロキシ、ホスファト、ホスフェートエステル、スルホニル、スルホネート、サルフェート、分枝又は直鎖ポリアルキレンオキシド、ニトリル、グリセリル、置換されていないか又はＣ１〜３０アルキル又はアルケニルで置換されているアリール、置換されていないか又はＣ１〜１０アルキル又はアルケニル又はアンモニウムで置換されている炭水化物であり、Ｇは、Ｈ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート、又はトシラートなどの陰イオン若しくは陽イオンである。
【００５２】
前述のシロキサン系界面活性剤の種類の例は、ＥＰ−１，０４３，４４３Ａ１、ＥＰ−１，０４１，１８９、及び国際公開第０１／３４，７０６号（全てＧＥシリコーンズ（GE Silicones）に発行）、及び米国特許第５，６７６，７０５号、米国特許第５，６８３，９７７号、米国特許第５，６８３，４７３号、及びＥＰ−１，０９２，８０３Ａ１（全てリーバー・ブラザーズ（Lever Brothers）に発行）に見出すことができる。
【００５３】
好適なシロキサンをベースにした界面活性剤の市販品の非限定例は、ＴＳＦ４４４６（ゼネラル・エレクトリック・シリコーンズ（General Electric Silicones）より）、ＸＳ６９−Ｂ５４７６（ゼネラル・エレクトリック・シリコンズ（General Electric Silicones）より）、ジェナミン（Jenamine）ＨＳＸ（デルコン（DelCon）より）及びＹ１２１４７（Ｏｓｉスペシャリティズから）である。
【００５４】
界面活性剤構成成分に適した第２の好ましい分類の物質は、有機物の性質である。好ましい物質は、炭素原子が約６〜約２０の炭素鎖を有する、有機スルホサクシネート界面活性剤である。それぞれ、炭素原子約６〜約２０の炭素鎖を有するジアルキル鎖を含有する有機スルホサクシネートが、最も好ましい。アリール又はアルキルアリール、置換又は非置換、分枝又は直鎖、飽和又は不飽和基を含有する鎖も好ましい。
【００５５】
好適な有機スルホサクシネート界面活性剤の市販の非限定的な例は、エアゾール（Aerosol）ＯＴ及びエアゾール（Aerosol）ＴＲ−７０（サイテック（Cytec）より）の商品名で入手可能である。
【００５６】
実施形態の１つでは、処理剤は水に不溶性である。もう１つの実施形態では、処理剤は水に不溶性であるが、親油性流体に可溶性である。さらに別の実施形態においては、処理剤は水に不溶性であり、親油性流体に可溶性であり、及び約１〜約９又は約１〜約７又は約１〜約５のＨＬＢを有する。
【００５７】
さらに別の実施形態では、処理剤は水に不溶性であり、及び親油性流体に不溶性でである。さらに別の実施形態では、処理剤は可溶化剤と共に、親油性流体及び／又は水に少なくとも部分的に可溶性である。可溶化剤の実施形態において、処理剤は処理組成物の約０．００１重量％〜約５重量％、又は約０．００１重量％〜約３重量％又は約０．００１重量％〜約１重量％の濃度で処理組成物中に存在する。
【００５８】
好適な処理剤の非限定例としては、ダウ・コーニング（Dow Corning）よりＤＣ１２４８、ＳＦ１５２８、ＤＣ５２２５Ｃ及びＤＣＱ４３６６７などの商標名で市販されている処理剤、及びウィトコ（Witco）よりＬ８６２０、Ｌ７２１０、Ｌ７２２０などの商標名で市販されているシルウエッツ（Silwets）が挙げられる。
【００５９】
汚染物質構成成分は、汚染物質含有親油性流体中に存在する時、いかなる濃度でも存在でき、典型的には汚染物質構成成分は汚染物質含有親油性流体の約０．０１重量％〜約１０重量％、より好ましくは約０．０２重量％〜約５重量％、さらにより好ましくは約０．０５重量％〜約２重量％の濃度で存在する。
【００６０】
汚染物質含有親油性流体中に存在してもよい別の汚染物質構成成分／汚染物質は、非シリコーン添加剤として特徴づけられる。該非シリコーン添加剤は好ましくは極性の高い及び／又は水素結合する先端基を含む。極性の高い及び／又は水素結合する先端基の例は、アルコール、カルボン酸、スルフェート、スルホネート、ホスフェート、ホスホネート、及び窒素含有物質である。好ましい非シリコーン添加剤は、一級、二級及び三級アミン、ジアミン、トリアミン、エトキシル化アミン、アミンオキシド、アミド、ベタイン（ベタインの非限定例は、スケア・ケミカルズ（Scher Chemicals）より市販されているスケアコタイン（Schercotaine）物質である）、陽イオン性界面活性剤及び／又は四級界面活性剤及び／又は塩化アンモニウムのような四級アンモニウム塩（塩化アンモニウムの非限定例は、アクゾノーベル（Akzo Nobel）より市販されているアルクアッド（Arquad）及び／又はゴールドシュミット（Goldschmidt）よりのバリソフト（Varisoft）である）及び陽イオン性布地柔軟活性物質のような陽イオン性物質、非イオン性界面活性剤（即ち、アルコールエトキシレート、ポリヒドロキシ脂肪酸アミド）のような非イオン性物質、ジェミニ界面活性剤、陰イオン性界面活性剤、双性イオン性界面活性剤、並びにこれらの混合物から成る群から選択される窒素含有物質である。アルキルアミンは特に好ましい。さらに、融点低下の効果があるアルキル鎖上の分岐は非常に好ましい。さらに好ましいのは、約６〜約２２の炭素原子を含む一級アルキルアミンである。
【００６１】
特に好ましい一級アルキルアミンは、オレイルアミン（アーミン（Armeen）ＯＬＤの商品名でアクゾ（Akzo）から市販）、ドデシルアミン（アーミン（Armeen）１２Ｄの商品名でアクゾ（Akzo）から市販）、分枝Ｃ１６〜Ｃ２２アルキルアミン（プリミーニ（Primene）ＪＭ−Ｔの商品名でローム・アンド・ハース（Rohm & Haas）から市販）及びこれらの混合物である。
【００６２】
もう１つの実施形態において、汚染物質含有親油性流体は、陰イオン性汚染物質、陽イオン性汚染物質、非イオン性汚染物質、双性イオン性汚染物質及びこれらの混合物から成る群から選択される汚染物質を含む。
【００６３】
非シリコーン添加剤は、本発明の処理組成物中に存在する場合、好ましくは処理組成物の約０．０１重量％〜約１０重量％、より好ましくは約０．０２重量％〜約５重量％、更により好ましくは約０．０５重量％〜約２重量％含まれる。
【００６４】
（極性溶媒）
本発明の汚染物質含有親油性流体は、極性溶媒を含んでもよい。極性溶媒の非限定的な例には、水、アルコール、グリコール、ポリグリコール、エーテル、カーボネート、二塩基性エステル、ケトン、他の酸素化溶媒、及びこれらの混合物などが挙げられる。アルコールの他の例には：Ｃ１〜Ｃ１２６アルコール、例えば、プロパノール、エタノール、イソプロピルアルコールなど、ベンジルアルコール、及び１，２−ヘキサンジオールなどのジオールなどが挙げられる。ダウ・ケミカル（Dow Chemical）によるダウアノール（Dowanol）シリーズは、本発明に有用なグリコール、及びポリグリコールの例であり、例えば、ダウアノール（Dowanol）ＴＰＭ、ＴＰｎＰ、ＤＰｎＢ、ＤＰｎＰ、ＴＰｎＢ、ＰＰｈ、ＤＰＭ、ＤＰＭＡ、ＤＢ、及び他のものなどがある。他の例には、プロピレングリコール、ブチレングリコール、ポリブチレングリコール、及び更に疎水性のグリコールなどが挙げられる。カーボネート溶媒の例には、エチレン、プロピレン、及びブチレンカーボネート、例えばジェフソル（Jeffsol）の商標名で入手可能なものなどがある。本発明用の極性溶媒は、分散性（δＤ）、極性（δＰ）及び水素結合（δＨ）ハンセン溶解度パラメータによって更に同定することができる。好ましい極性溶媒、又は極性溶媒混合物は、極性分率の値（ｆＰ）及び水素結合分率の値（ｆＨ）が、ｆＰ＞０．０２、及びｆＨ＞０．１０であり、ここでｆＰ＝δＰ／（δＤ＋δＰ＋δＨ）及びｆＨ＝δＨ／（δＤ＋δＰ＋δＨ）、更に好ましくはｆＰ＞０．０５及びｆＨ＞０．２０、最も好ましくはｆＰ＞０．０７、及びｆＨ＞０．３０である。
【００６５】
極性溶媒は汚染物質含有親油性流体中にいかなる濃度で存在してもよく、典型的には汚染物質含有親油性流体の約０．００１重量％〜約１０重量％、より好ましくは約０．００５重量％〜約５重量％、さらにより好ましくは約０．０１重量％〜約１重量％の濃度で汚染物質含有親油性流体に存在する。
【００６６】
実施形態の１つでは、汚染物質含有親油性流体は、汚染物質含有親油性流体の約０重量％〜約５重量％又は約０重量％〜約３重量％又は約０．０００１重量％〜約１重量％の極性溶媒を含む。
【００６７】
本発明の処理組成物においては、極性溶媒の濃度は、洗剤組成物の約０重量％〜約７０重量％、好ましくは１重量％〜５０重量％、更に好ましくは１重量％〜３０％重量であることができる。
【００６８】
（吸着性物質）
本発明の方法に有用な吸着性物質は、極性剤及び無極性剤を含む。典型的に、極性剤及び無極性剤は、吸着性物質中に約１：１０〜約１０：１又は約１：５〜約５：１又は約１：２〜約３：１の比で存在する。
【００６９】
実施形態の１つでは、吸着性物質は表面積が約１０ｍ２／ｇ〜約１０００ｍ２／ｇ又は約１００ｍ２／ｇ〜約１０００ｍ２／ｇ又は約２５０ｍ２／ｇ〜約１０００ｍ２／ｇ又はさらに約５００ｍ２／ｇ〜約１０００ｍ２／ｇである。
【００７０】
実施形態の１つでは、吸着性物質は平均粒径が約０．１μｍ〜約２５０μｍである。
【００７１】
もう１つの実施形態では、吸着性物質は平均粒径が約０．１μｍ〜約５００μｍである。
【００７２】
もう１つの実施形態では、吸着性物質は極性及び無極性剤、並びに極性剤、無極性剤及び任意選択的に荷電剤から成る群から選択されるもう１つの剤を含み、その際二つ以上の剤が単一の物理的形態の混合剤の形態である。
【００７３】
さらに別の実施形態では、吸着性物質は極性及び無極性剤、並びに極性剤、無極性剤及び任意選択的に荷電剤から成る群から選択されるもう１つの剤を含み、その際二つ以上の剤が層状剤の形態である。
【００７４】
さらに別の実施形態では、吸着性物質は、分離した、別個の極性及び無極性剤、並びに分離した、別個の荷電剤を汚染物質含有親油性流体が、分離した、及び別個の剤両方に接触するように含む。
【００７５】
さらに別の実施形態では、吸着性物質は離散粒子を含む。
【００７６】
なおさらに別の実施形態では、吸着性物質は離散粒子の形態である。
【００７７】
あるいは、吸着性物質は繊維性構造の形態である。典型的に、繊維性構造は、不織布繊維性構造である。しかしながら、繊維性構造は織物繊維性構造であることもできる。
【００７８】
もう１つの実施形態では、吸着性物質は繊維性構造に埋め込まれた、及び／又はコーティングされた、及び／又は含浸された、及び／又は結合された離散粒子の形態である。
【００７９】
吸着性物質は、（１）荷電剤、及び（２）一緒に混合された極性及び無極性剤を含んでもよい。極性剤は典型的には離散粒子の形態であり、繊維性構造の形態であり、その際離散粒子の極性剤は繊維性構造、一般的には不織布繊維性構造に埋め込まれ、及び／又はコーティングされ、及び／又は含浸され、及び／又は結合されている。
【００８０】
（ａ．極性剤）
実施形態の１つでは、本発明の吸着性物質に有用な極性剤は次の式を有する。
Ｙａ−ＯｂＸ
式中、ＹはＳｉ、Ａｌ、Ｔｉ、Ｐであり、ａは約１〜約５であり、ｂは約１〜約１０であり、Ｘは金属である。
【００８１】
もう１つの実施形態では、本発明の吸着性物質への使用に適した極性剤は、シリカ、珪藻土、アルミノケイ酸塩、ポリアミド樹脂、アルミナ、ヒドロゲル、ゼオライト、及びこれらの混合物から成る群から選択される。好ましくは、極性剤はシリカであり、より具体的にはシリカゲルである。
【００８２】
本発明のヒドロゲルを含むモノマーの非限定例としては、ヒドロキシアルキルアクリレート、ヒドロキシアルキルメタクリレート、Ｎ−置換アクリルアミド、Ｎ−置換メタクリルアミド、Ｎ−ビニル−２−ピロリドン、Ｎ−アクロイルピロリドン、アクリル、メタクリル、酢酸ビニル、アクリロニトリル、スチレン、アクリル酸、メタクリル酸、クロトン酸、スチレンスルホン酸ナトリウム、２−スルホキシエチルメタクリル酸ナトリウム、２−アクリルアミド−２−メチルプロパンスルホン酸、ビニルピリジン、アミノエチルメタクリレート、２−メタクリロイルオキシトリメチルアンモニウムクロリド、Ｎ，Ｎ’−メチレンビスアクリルアミド、ポリ（エチレングリコール）ジメタクリレート、２，２’−（ｐ−フェニレンジオキシジエチルジメタクリレート、ジビニルベンゼン、及びトリアリルアミンが挙げられる。
【００８３】
もう１つの実施形態では、本発明の吸着性物質への使用に適した極性剤は、約０．５μｍ〜約５００μｍの平均粒径を有する。
【００８４】
（ｂ．無極性剤）
本発明の吸着性物質への使用に適した無極性剤は、活性炭、ポリスチレン、ポリエチレン、及び／又はジビニルベンゼンのうち一つ以上を含む。活性炭は粉末形態であってもよく、及び／又は表面積が約５０ｍ２／ｇ〜約２００ｍ２／ｇであり、一般的には、約７５ｍ２／ｇ〜約１２５ｍ２／ｇである。
【００８５】
（ｃ．荷電剤）
実施形態の１つでは、荷電剤は陰イオン性物質、陽イオン性物質、双性イオン性物質及びこれらの混合物から成る群から選択される。
【００８６】
もう１つの実施形態では、荷電剤は次の式を有し
［Ｗ−Ｚ］Ｔ
式中、ＷはＳｉ、Ａｌ、Ｔｉ、Ｐ又はポリマー主鎖であり、Ｚは荷電した置換基であり、Ｔはアルカリ、アルカリ土類金属、及びこれらの混合物から選択される対イオンである。例えば、Ｔは、ナトリウム、カリウム、アンモニウム、アルキルアンモニウム誘導体、水素イオン、塩化物、水酸化物、フッ化物、ヨウ化物、カルボキシレート等であってもよい。
【００８７】
ポリマー主鎖は一般的に、ポリスチレン、ポリエチレン、ポリジビニルベンゼン、ポリアクリル酸、ポリアクリルアミド、多糖類、ポリビニルアルコール、これらのコポリマー及びこれらの混合物から成る群から選択される物質を含む。
【００８８】
荷電置換基は一般に、スルホネート、ホスフェート、四級アンモニウム塩及びこれらの混合物を含む。荷電置換基は、アルコール、ジオール、カルボキシレートの塩、一級及び二級アミンの塩、及びこれらの混合物を含んでもよい。
【００８９】
Ｗは一般にＷの約１重量％〜約１５重量％の荷電剤を含む。
【００９０】
もう１つの実施形態では、荷電剤は、荷電剤が環境条件に暴露された際に汚染物質含有親油性流体から一時的に除去したいかなる汚染物質をも放出できるような再生の能力がある。本明細書で使用する時、「環境条件」とは、荷電剤に汚染物質の放出を引き起こす任意の物理的又は化学的条件を意味する。環境条件の非限定例には、荷電剤を酸、塩基及び／又は塩に暴露することが挙げられる。再生が可能な荷電剤は一般に約２〜約８のｐＫａ又はｐＫｂを有する。再生が可能な荷電剤は、親油性流体からの多サイクル汚染物質除去に再利用できる。
【００９１】
（本発明の方法）
汚染物質含有親油性流体からの汚染物質の除去を促進するため、該汚染物質含有親油性流体が吸着性物質に接触する前に、吸着性物質を湿潤剤で湿潤することが望ましい。典型的に、湿潤剤は親油性流体を含む。
【００９２】
実施形態の１つでは、汚染物質含有親油性流体から汚染物質を除去するための方法は、
ａ．荷電剤を含む吸着性物質を汚染物質含有親油性流体と接触させ、第一溶離液を生成する工程、及び
ｂ．任意選択的に、極性剤及び／又は無極性剤を含む吸着性物質を第一溶離液に接触させ、第二溶離液を生成する工程、及び
ｃ．任意選択的に、工程ａ及び／又は工程ｂを少なくとも１回繰り返す工程、及び
ｄ．任意選択的に、第二溶離液を回収する工程を含む。
【００９３】
前記方法はさらに、
ｅ．布地を第二溶離液に接触させる工程を含んでもよい。
【００９４】
同様に、前記方法はさらに、
ｆ．荷電剤を含む吸着性物質を、荷電剤上に存在する残留親油性流体が放出されるような環境条件に接触させる工程を含んでもよい。環境条件は、典型的には、荷電剤を熱、真空、機械的力、及びこれらの組み合わせにさらすことから成る群から選択される。
【００９５】
前記方法はさらに
ｇ．荷電剤を含む吸着性物質を、荷電剤上に存在する汚染物質が放出されるように溶媒に接触させる工程を含んでもよい。汚染物質はこの時に廃棄されてもよい。溶媒は一般的に、約２〜約８のｐＨ及び／又は約０．０１〜約６０のイオン強度を有する極性溶媒を含む。好適な溶媒の非限定例には、水及び／又はアルコールが挙げられる。
【００９６】
前記方法はさらに、
ｈ．荷電剤を含む吸着性物質を荷電剤上に存在する残留溶媒が放出されるような環境条件に接触させる工程を含んでもよい。環境条件は、典型的には、熱、真空、機械的力、及びこれらの組み合わせから成る群から選択される。
【００９７】
別の態様においては、汚染物質含有親油性流体から汚染物質を除去するための方法であって、
ａ．荷電剤を含む吸着性物質を汚染物質含有親油性流体と接触させ、第一溶離液を生成する工程、及び
ｂ．極性剤及び／又は無極性剤を含む吸着性物質を第一溶離液に接触させ、第二溶離液を生成する工程、及び
ｃ．第二溶離液を回収する工程、
ｄ．布地を第二溶離液に接触させる工程、
ｅ．荷電剤を含む吸着性物質を、荷電剤上に存在する残留親油性流体が放出されるような環境条件に接触させる工程、
ｄ．荷電剤を含む吸着性物質を、荷電剤上に存在する汚染物質が放出されるように溶媒に接触させる工程、及び
ｅ．荷電剤を含む吸着性物質を荷電剤上に存在する残留溶媒が放出されるような環境条件に接触させる工程、及び
ｈ．任意選択的に、工程ａ〜ｇのいずれかを少なくとも１回繰り返す工程を含む方法。
【００９８】
さらに別の実施形態では、荷電剤を含む吸着性物質を、該吸着性物質が親油性流体から汚染物質を除去するように汚染物質含有親油性流体に繰り返し接触させる、連続濾過サイクルが提供される。連続濾過サイクルに存在する荷電剤は、汚染物質が吸着性物質から放出されるような環境条件に暴露されてもよい。典型的に、本実施形態の環境条件は、荷電剤を酸、塩基及び／又は塩に暴露することを含む。
【００９９】
本発明のさらにまた別の態様においては、親油性流体から汚染物質を除去するための方法であって、
ａ．次の式を有する荷電剤を接触する工程
［Ｗ−Ｚ］Ｔ
式中ＷはＳｉであり、Ｚはカルボキシレート、一級アミン及びこれらの混合物から選択される荷電置換基であり、Ｔはアルカリ、アルカリ土類金属、及びこれらの混合物から選択される対イオンである；並びに
ｂ．任意選択的に、シート状の活性炭に埋め込まれたシリカゲルを、汚染物質が親油性流体から除去されるように接触する工程を含む方法が提供される。
【０１００】
親油性流体の濾過を促進するための当業者に既知の異なる技術を使用してもよい。例えば、汚染物質含有親油性流体を、真空下で吸着性物質に接触させてもよい。
【０１０１】
本発明による濾過方法の実施形態の１つでは、汚染物質含有親油性流体が一次吸着材及び二次吸着材を含有するフィルターカートリッジに導入される。一次吸着材は極性吸着性物質（シリカ、珪藻土等）である。極性吸着性物質に接触した後、極性汚染物質が親油性流体から除去される。続いて、親油性流体はフリットを通過し、二次吸着性物質に接触する。二次吸着性物質は、無極性吸着材（例えば、活性炭等）である。二次吸着性物質は、いかなる残留汚染物質も親油性流体から除去する。親油性流体はカートリッジを出て、再利用可能になる。
【０１０２】
もう１つの実施形態では、上述の一次及び二次吸着性物質は管材で接続された別々のカートリッジに収容される。親油性流体は、汚染物質含有親油性流体が二次吸着性物質に接触する前に汚染物質含有親油性流体が一次吸着性物質に接触するように、２つのカートリッジを通過する。親油性流体は第二のカートリッジ（二次吸着性物質のカートリッジ）を出て、再利用可能になる。
【０１０３】
本発明の方法を実用した結果、本発明による方法で製造された汚染物質含有吸着性物質が生じる。
【０１０４】
本発明の方法から生じる親油性流体は、本発明の範囲内である。
【国際公開パンフレット】
2005502459.tif 000003
2005502459.tif 000004
2005502459.tif 000005
2005502459.tif 000006
2005502459.tif 000007
2005502459.tif 000008
2005502459.tif 000009
2005502459.tif 000010
2005502459.tif 000011
2005502459.tif 000012
2005502459.tif 000013
2005502459.tif 000014
2005502459.tif 000015
2005502459.tif 000016
2005502459.tif 000017
2005502459.tif 000018
2005502459.tif 000019
2005502459.tif 000020
2005502459.tif 000021
2005502459.tif 000022
2005502459.tif 000023
2005502459.tif 000024
【国際調査報告】
2005502459.tif 000025
2005502459.tif 000026
2005502459.tif 000027